(57)【特許請求の範囲】
【請求項１】
板金で成形される溝であって、第１方向に所定の第１寸法を有して、前記第１方向と交わる第２方向に延在する開口部を含み、
前記開口部は、前記第１および前記第２方向と交わる第３方向に、前記第１寸法を有して延在する首部を有し、
前記首部の前記第３方向の下端部には、前記第１方向における断面が、相互に前記第１方向に広がるように設けられた拡張部と、
前記拡張部の前記第３方向の下端部に設けられた底部と、を含み、
前記第１方向の前記開口部の一方側端部から他方側の前記拡張部の上端へ引いた直線が第１の角度を有し、
前記拡張部と水平面との有する第２の角度が、前記第１の角度以上である、溝。
【請求項２】
前記溝はステンレス製である、請求項１に記載の溝。
【請求項３】
前記拡張部と前記底部との間に、前記第３方向に延在する接続部を含む、請求項１または２に記載の溝。
【請求項４】
前記第２方向の端部において、前記接続部を有さない第１端部と、前記接続部を有する第２端部とを含む、請求項３に記載の溝。
【発明の詳細な説明】
【技術分野】
【０００１】
この発明は、衛生管理に注力すべき現場で用いられる溝に関し、特に、洗浄が容易な、溝、に関する。
【背景技術】
【０００２】
従来の溝に関して、例えば、特表２００５−５２４０１０号公報（特許文献１）、特開２０００−３２８５４３号公報（特許文献２）等に記載されている。
【０００３】
特許文献１は、排水部と、穴を有する２つの対向側壁を有する首部と、穴を通る突起を有し、首部である対向側壁の各々を分離して保持するセパレータと、から構成される溝を開示している。
【０００４】
特許文献２は、排水部と、首部と、首部の左右一対の上部開口縁に連接し、地面に沿って存在するフランジ部と、フランジ部に連接し、地面下方へ延びる延長フランジ部と、から構成され、さらに、首部、フランジ部及び延長フランジ部は、互いに間隔をおいた複数の貫通孔を有して、構成される溝を開示している。
【先行技術文献】
【特許文献】
【０００５】
【特許文献１】特表２００５−５２４０１０号公報（請求項１及びそれに関連する記載）
【特許文献２】特開２０００−３２８５４３号公報（請求項１及びそれに関連する記載）
【発明の概要】
【発明が解決しようとする課題】
【０００６】
従来からある溝は、上記のように構成されていた。しかし、溝の洗浄において、溝の内部全体に洗浄水が十分当たらず、洗浄が不十分となり、雑菌が繁殖して不衛生になるという問題があった。
【０００７】
この発明は、上記のような問題点を解消するためになされたもので、衛生管理に注力すべき現場で用いられる溝の洗浄を行う際に適した形状の溝を提供することを目的とする。
【課題を解決するための手段】
【０００８】
この発明に係る溝は、板金で成形され、第１方向に所定の第１寸法の間隔を有して、第１方向と交わる第２方向に延在する開口部を有し、第１及び第２方向に交わる第３方向と第１方向における断面が、開口部の第３方向の下端部から、相互に第１方向に広がるように設けられた拡張部と、拡張部の第３方向の下端部に設けられた底部と、を含み、第１方向の開口部の一方側端部から他方側の拡張部の上端へ引いた直線は第１の角度を有し、拡張部と水平面との有する第２の角度が、前記第１の角度以上である。
【０００９】
好ましくは、溝はステンレス製である。
【００１０】
好ましくは、拡張部と底部との間に、第３方向に延在する接続部を含む。
【００１１】
好ましくは、第２方向の端部において、接続部を有さない第１端部と、接続部を有する第２端部とを含む。
【００１２】
さらに好ましくは、前記開口部は第３方向に延在する首部を含む。
【発明の効果】
【００１３】
拡張部が水平面に対して有する角度を、第１方向の開口部の一方側端部から他方側の拡張部の上端へ引いた直線が有する所定の角度以上にすることにより、開口部の外部の一方側端部から他方側の拡張部の上端へ向かった洗浄水が、他方側の拡張部を確実に洗浄して底部へ流される。
【００１４】
その結果、洗浄が容易な溝を提供できる。
【図面の簡単な説明】
【００１５】
【図１】ステンレス製の溝を地面に埋め込んだ状態を示す、地面を一部破断した斜視図である。
【図２】ステンレス製の溝について、第１方向と第３方向の交わる平面から見た断面図である図２（Ａ）と、第２方向と第３方向の交わる平面かつ溝の外部から見た断面図である図２（Ｂ）である。
【図３】図２（Ｂ）の長手方向の長さを大きくしたものを簡略的に示す図３（Ａ）と、図３（Ａ）に示す第１端部を第１端部側から見た図３（Ｂ）と、図３（Ａ）に示す第２端部を第２端部側から見た図３（Ｃ）である。
【図４】図３（Ａ）の第１端部から変換部の間は接続部を有さず、変換部から第２端部の間は接続部を有する場合を簡略的に示す図４（Ａ）と、図４（Ａ）に示す第１端部を第１端部側から見た図４（Ｂ）と、図４（Ａ）に示す変換部の断面図である図４（Ｃ）と、図４（Ａ）に示す第２端部を第２端部側から見た図４（Ｄ）である。
【図５】図２（Ａ）の拡大図である。
【図６】ステンレス製の溝の断面形状が異なる場合を簡略的に示す断面図である。
【図７】図２（Ａ）の首部がない場合の拡大図である。
【図８】首部がないステンレス製の溝の断面形状が異なる場合を簡略的に示す断面図である。
【発明を実施するための形態】
【００１６】
以下、この発明の実施の形態を、図面を参照して説明する。図１は、製薬工場、食品工場、厨房等の衛生管理に注力すべき現場で用いられる溝１０を地面（水平面）に埋め込んだ状態を示す、地面を一部破断した斜視図である。溝１０は、ステンレス製であり、図１に示すように地面下に埋設される。地面の排水は、この溝１０の上端開口部１１から首部１２を経て、排水部１３に流れ落ちる。
【００１７】
図２は、溝１０について、横方向（第１方向）と深さ方向（第３方向）の交わる平面から見た断面図（Ａ）と、長手方向（第２方向）と深さ方向の交わる平面かつ溝１０の外部から見た断面図（Ｂ）とを示している。ここで、横方向とは、溝１０が延在する方向と直角かつ地面と平行な方向であり、長手方向とは、溝１０が延在する方向であり、深さ方向とは、横方向と長手方向が交わる平面と直角な方向のことである。
【００１８】
図２（Ａ）を参照して、溝１０は、横方向に所定の寸法ｄ（第１寸法）の間隔を有して長手方向に延在する開口部１１と、寸法ｄを有して深さ方向に延在する首部１２ａ１，１２ａ２と、首部１２ａ１，１２ａ２の上端部に設けられ、横方向に延在するフランジ部１２ｂ１，１２ｂ２と、フランジ部１２ｂ１，１２ｂ２の横方向の端部において、深さ方向に曲げられた折り曲げ部１２ｃ１，１２ｃ２と、横方向と深さ方向の交わる断面が開口部の深さ方向の下端部から相互に横方向に広がるように設けられた拡張部１３ａ１，１３ａ２と、拡張部１３ａ１，１３ａ２の下端部に設けられた底部１３ｂ１，１３ｂ２と、拡張部１３ａ１，１３ａ２と底部１３ｂ１，１３ｂ２との間に設けられた深さ方向に延在する接続部１３ｃ１，１３ｃ２と、を含む。
【００１９】
なお、寸法ｄは、２０〜３５ｍｍが好ましい。こうすることにより、排水が地面から開口部１１に十分入ることができると共に、人の足が開口部１１に入って、人が怪我等することを防止することができる。
【００２０】
なお、排水部１３は、拡張部１３ａ１，１３ａ２各々の上端部を一辺としたとき、七角形である。
【００２１】
なお、溝１０は、首部１２ａ１，１２ａ２と、フランジ部１２ｂ１，１２ｂ２と、折り曲げ部１２ｃ１，１２ｃ２と、拡張部１３ａ１，１３ａ２と、底部１３ｂ１，１３ｂ２と、接続部１３ｃ１，１３ｃ２の全部について、一枚のステンレスの板を板金で成形することにより、成形が容易になると共に成形時間を短縮できるようにしてもよいし、ステンレスの板金したものを、例えば、接続部１３ｃ１，１３ｃ２等の適当な箇所で複数溶接してもよい。
【００２２】
図２（Ｂ）を参照して、溝１０は、図示していないが、排水が排水口に向けて流れて行くための勾配を、長手方向に有する。
【００２３】
なお、必要であれば、溝１０を長手方向に複数設けてもよい。
【００２４】
図３（Ａ）は、溝１０について、図２（Ｂ）よりも長手方向の長さを大きくして見たときの簡略図である。図３（Ｂ）は、図３（Ａ）に示す第１端部１３１を第１端部１３１側から見た図であり、図３（Ｃ）は、図３（Ａ）に示す第２端部１３２を第２端部１３２側から見た図である。第１端部１３１は、接続部１３ｃを有さず、第２端部１３２は、接続部１３ｃを有する。
【００２５】
図３（Ａ）を参照して、溝１０の底部１３ｂは所定の傾斜を示しており、接続部１３ｃの深さ方向の長さは、溝１０の延在する長手方向に沿って、第１端部１３１から次第に長くなり、第１端部１３１から第２端部１３２に至る傾斜を形成する。
【００２６】
例えば、第１端部１３１から第２端部１３２までの長さを３０ｍとして傾斜を１／１００とした場合、首部１２ａも含めた溝１０の全高は、第１端部１３１は１００ｍｍ、第２端部１３２は４００ｍｍになる。この傾斜により、排水は、第２端部１３２の底部１３ｂに設けられた図示しない排水口へと流れ落ちる。
【００２７】
図４（Ａ）は、図３（Ａ）の変形例である。図４（Ａ）は、第１端部１３１から長手方向にＨまでの間は接続部１３ｃを有さず、Ｈから第２端部１３２までの間は接続部１３ｃを有する場合を簡略化して図示したものである。溝１０を長手方向から見た断面の形状が変化する箇所を変換部１４とする。図４（Ｂ）は、図４（Ａ）に示す第１端部１３１を第１端部１３１側から見た図であり、図４（Ｃ）は、図４（Ａ）に示す変換部１４の断面図であり、図４（Ｄ）は、図４（Ａ）に示す第２端部１３２を第２端部１３２側から見た図である。
【００２８】
この場合、第１端部１３１から変換部１４の間における底部１３ｂの長手方向の傾斜は、底部１３ｂ１，１３ｂ２の地面と有する角度を変更する等して設けてもよい。
【００２９】
図５は、図２（Ａ）の拡大図である。図５を参照して、開口部１１の一方側上端部から他方側の拡張部１３ａ１の上端に引いた直線が地面と有する角度をα１とし、拡張部１３ａ１が地面と有する角度をα２とする。洗浄水が放射されるときに地面と有する角度は、０〜９０°の間の任意の角度をとることが可能であり、α１の角度で放射されることが可能である。すなわち、α２をα１以上にすることにより、放射された洗浄水が拡張部１３ａ１に効果的に当たる。α１は、１０〜７０°とするのが好ましい。より好ましくは、２０〜６０°とする。さらに好ましくは、４５〜５１°とする。
【００３０】
その結果、製薬工場、食品工場、厨房等の衛生管理に注力すべき現場で用いられる溝の洗浄において、洗浄水が溝の内部全体に十分当たり、洗浄が不十分になって雑菌が繁殖し、不衛生になることを未然に防止することができる。
【００３１】
なお、折り曲げ部１２ｃ１，１２ｃ２の深さ方向の長さをｔ、首部１２ａ１，１２ａ２の深さ方向の長さをＴとした場合、Ｔ≧ｔ＋５ｍｍとすることが好ましい。
【００３２】
以上、図５に示す横方向と深さ方向が交わる平面における断面形状の実施形態を述べたが、図６に示す様な断面形状であってもよい。図６は、横方向と深さ方向の交わる平面における、溝１０の異なる断面形状を示す簡略図である。
【００３３】
図６（Ａ）は、溝１０が、接続部１３ｃ１，１３ｃ２を有さない場合である。この場合、溝１０の底部１３ｂ１，１３ｂ２が有する長手方向の傾斜は、底部１３ｂ１，１３ｂ２が地面と有する角度を変更する等して設けてもよい。
【００３４】
図６（Ｂ）は、溝１０が接続部１３ｃ１，１３ｃ２を有し、底部１３ｂを半円状にした場合である。また、図示しないが、底部１３ｂは、半円状に限らず半楕円状や他の曲線を有する形状であってもよい。
【００３５】
図６（Ｃ）は、溝１０が接続部１３ｃ１，１３ｃ２を有さず、かつ溝１０の底部１３ｂを半円状とした場合である。この場合、溝１０の底部１３ｂが有する長手方向の傾斜は、底部１３ｂの曲線形状を変更する等して設けてもよい。また、図示しないが、底部１３ｂは、半円状に限らず半楕円状や他の曲線を有する形状であってもよい。
【００３６】
以上は、首部１２ａを有する溝１０について述べたが、図７に示すように首部１２ａを有さないものであってもよい。なお、図７において、同一部分には同一の参照符号を付し、その説明を省略する。
【００３７】
図７を参照して、開口部１１の一方側上端部から他方側の拡張部１３ａ１に引いた直線が地面と有する角度をβ１とし、拡張部１３ａ１が地面と有する角度をβ２とする。洗浄水が放射されるときに地面と有する角度は、０〜９０°の間の任意の角度をとることが可能であり、β１の角度で放射されることが可能である。すなわち、β２をβ１以上にすることにより、放射された洗浄水が拡張部１３ａ１に効果的に当たる。β１は、１０〜７０°とするのが好ましい。より好ましくは、２０〜６０°とする。さらに好ましくは、４５〜５１°とする。また、β２は６５°以上とするのが好ましい。
【００３８】
その結果、製薬工場、食品工場、厨房等の衛生管理に注力すべき現場で用いられる溝の洗浄において、洗浄水が溝の内部全体に十分当たり、洗浄が不十分になって雑菌が繁殖し、不衛生になることを未然に防止することができる。
【００３９】
また、図７に示す首部１２ａを有さない溝１０の断面形状は、図８に示す様な断面形状であってもよい。図８は、首部１２ａがない場合の、横方向と深さ方向の交わる平面における、溝１０の異なる断面形状を示す簡略図である。
【００４０】
図８（Ａ）は、首部１２ａを有さない溝１０が、接続部１３ｃ１，１３ｃ２を有さない場合である。この場合、溝１０の底部１３ｂ１，１３ｂ２が有する長手方向の傾斜は、底部１３ｂ１，１３ｂ２が地面と有する角度を変更する等して設けてもよい。
【００４１】
図８（Ｂ）は、溝１０が接続部１３ｃ１，１３ｃ２を有し、底部１３ｂを半円状にした場合である。また、図示しないが、底部１３ｂは、半円状に限らず半楕円状や他の曲線を有する形状であってもよい。
【００４２】
図８（Ｃ）は、首部１２ａを有さない溝１０が、接続部１３ｃ１，１３ｃ２を有さず、かつ、底部１３ｂを半円状としたものである。この場合、溝１０の底部１３ｂが有する長手方向の傾斜は、底部１３ｂの曲線形状を変更する等して設けてもよい。また、図示しないが、底部１３ｂは、半円状に限らず半楕円状や他の曲線を有する形状であってもよい。
【００４３】
なお、上記実施の形態においては、溝をステンレスの板金で成形する場合について説明したが、これに限らず、ガルバリウム鋼板等の他の材料を板金で成形してもよい。
【００４４】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００４５】
この発明に係る溝は、衛生管理に注力すべき現場で用いられる溝として有利に利用される。
【符号の説明】
【００４６】
１０  ステンレス製の溝、１１  開口部、１２ａ１，１２ａ２  首部、１２ｂ１，１２ｂ２  フランジ部、１２ｃ１，１２ｃ２  折り曲げ部、１３  排水部、１３ａ１，１３ａ２  拡張部、１３ｂ１，１３ｂ２  底部、１３ｃ１，１３ｃ２  接続部、１３１  第１端部、１３２  第２端部、１４  変換部  
【図１】
0005969192.tif 000002
【図２】
0005969192.tif 000003
【図３】
0005969192.tif 000004
【図４】
0005969192.tif 000005
【図５】
0005969192.tif 000006
【図６】
0005969192.tif 000007
【図７】
0005969192.tif 000008
【図８】
0005969192.tif 000009